(57)【要約】【課題】  キャビネットを備えるスピーカーシステムを設置するスピーカースタンドに関し、スピーカーシステムで生じる反作用力を利用して、スピーカーシステムからの再生音を改善するスピーカースタンドを提供する。【解決手段】  本発明のスピーカースタンドは、スピーカーを載せる載置部と、台座部と、載置部と台座部とを連結する脚部と、を備え、脚部が、弾性を有する板状部材を厚み方向に屈曲した弾性支持脚により構成され、載置部が、弾性支持脚の弾性変形に伴って一の軸方向に揺動する。【選択図】  図１
2006287894.tif 000002
【特許請求の範囲】
【請求項１】
スピーカーを載せる載置部と、台座部と、該載置部と該台座部とを連結する脚部と、を備えるスピーカースタンドであって、
該脚部が、弾性を有する板状部材を厚み方向に屈曲した弾性支持脚により構成され、
該載置部が、該弾性支持脚の弾性変形に伴って一の軸方向に揺動する、
スピーカースタンド。
【請求項２】
前記載置部に所定範囲内の重量を備えるスピーカーを載せたときに、該載置部が揺動する一の軸方向における第１の揺動距離が、該一の軸方向と直交する他の軸方向における第２の揺動距離よりも長い、
請求項１に記載のスピーカースタンド。
【請求項３】
前記載置部に所定範囲内の重量を備えるスピーカーを載せたときに、該載置部が揺動する一の軸方向における第１の揺動共振周波数が、１．０Ｈｚ以上１０．０Ｈｚ以下であり、かつ、該一の軸方向と直交する他の軸方向における第２の揺動共振周波数が、該第１の揺動共振周波数よりも高い周波数である、
請求項１に記載のスピーカースタンド。
【請求項４】
前記脚部の弾性支持脚と、前記載置部と、前記台座部とが、弾性を有する板状部材を厚み方向に屈曲して一体に構成されている、
請求項１から３のいずれかに記載のスピーカースタンド。
【請求項５】
前記脚部が、柱状部材から構成される支柱脚をさらに備え、
該支柱脚の一方端が前記弾性支持脚の前記載置部に固着され、該支柱脚の他方端が前記弾性支持脚の前記台座部に固着される、
請求項４に記載のスピーカースタンド。
【請求項６】
前記脚部の弾性支持脚が、前記板状部材の厚み方向に貫通孔を備え、該貫通孔を前記支柱脚が貫通する、
請求項５に記載のスピーカースタンド。
【請求項７】
前記脚部の弾性支持脚の貫通孔において、該弾性支持脚と、前記支柱脚とが、緩衝部材を狭着する、
請求項６に記載のスピーカースタンド。
【請求項８】
前記脚部が、前記支持脚を、前記載置部が揺動する一の軸方向における弾性が異なる他の支持脚に交換して、固着可能に構成されている、
請求項５から７のいずれかに記載のスピーカースタンド。
【請求項９】
前記弾性支持脚の載置部と前記支持脚とを固着する第１固着部材と、前記弾性支持脚の台座部と該支持脚とを固着する第２固着部材と、を備え、
該第１固着部材および該第２固着部材が、前記載置部が揺動する一の軸方向に規定される長孔を有し、他の第２支持脚を固着可能に構成されている、
請求項５から７のいずれかに記載のスピーカースタンド。
【請求項１０】
前記第１固着部材および前記第２固着部材と連結する前記第２支持脚を更に備え、
該第２支持脚が、前記長孔を介して該第１固着部材および該第２固着部材と連結する、
請求項９に記載のスピーカースタンド。
【請求項１１】
前記第２支持脚が、前記第１固着部材および前記第２固着部材ならびに前記支持脚と固着する固定部材と、前記長孔を介して該第１固着部材および該第２固着部材と連結する可動部材と、をさらに備え、
該可動部材が該第１固着部材および該第２固着部材の該長孔と連結する位置により、該第２支持脚の前記載置部が揺動する一の軸方向における弾性が変化する、
請求項１０に記載のスピーカースタンド。
【発明の詳細な説明】
【技術分野】
【０００１】
本発明は、キャビネットを備えるスピーカーシステムを、使用者が再生音を聴取するのに適する位置に設置するスピーカースタンドに関する。
【背景技術】
【０００２】
従来のスピーカースタンドにおいては、設置されるスピーカーシステム（以下において、スピーカーと略する場合がある）からの再生音を改善することを目的にして、キャビネットを強固に支持することにより、スピーカーで生じる反作用力による振動を抑制しようとするものがある（特許文献１）。また、強固に支持した場合であっても、スピーカーシステムでの反作用力によって生じる振動をスピーカースタンドおよび設置される床面に伝搬しないようにすることを目的として、スピーカースタンドに緩衝材を設けるものや、スピーカースタンドの構造において、振動が伝搬しにくい材料を使用するものがある（特許文献２）。
【０００３】
また、一方で、従来のスピーカースタンドにおいては、防振を図るためにキャビネットを磁石の吸引力もしくは反発力により浮上させ、いわばスピーカーシステムを軟らかく支持することにより、防振ならびに音響特性の改善を図ろうとするものや、または、スピーカーシステムとスピーカースタンドとの間の設置面に回転可能な車を取り付けて、反作用力を吸収しようとするものがある（特許文献３）。
【０００４】
【特許文献１】特開平７−７７７８号公報  （第１図）
【特許文献２】特開平６−１２５５９１号公報  （第１図）
【特許文献３】特開平７−１７４１９０号公報  （第１図）
【０００５】
しかしながら、従来技術のスピーカースタンドでは、スピーカーシステムからの再生音を改善する点において、十分ではないという問題があった。スピーカーのキャビネットとスピーカースタンドとに生じる振動はそれぞれの筐体の強度や材料により相互に影響を及ぼす関係であり、強固に支持すること、もしくは、軟らかく支持することのみでは、振動の抑制および伝搬の防止を実現できず、また、スピーカーシステムで生じる反作用力を十分に吸収できない。
【発明の開示】
【発明が解決しようとする課題】
【０００６】
本発明は、上記の従来技術が有する問題を解決するためになされたものであり、その目的は、キャビネットを備えるスピーカーシステムを設置するスピーカースタンドに関し、スピーカーシステムで生じる反作用力を利用して、スピーカーシステムからの再生音を改善するスピーカースタンドを提供することにある。
【課題を解決するための手段】
【０００７】
本発明のスピーカースタンドは、スピーカーを載せる載置部と、台座部と、載置部と台座部とを連結する脚部と、を備え、脚部が、弾性を有する板状部材を厚み方向に屈曲した弾性支持脚により構成され、載置部が、弾性支持脚の弾性変形に伴って一の軸方向に揺動する。
【０００８】
好ましくは、本発明のスピーカースタンドは、載置部に所定範囲内の重量を備えるスピーカーを載せたときに、載置部が揺動する一の軸方向における第１の揺動距離が、一の軸方向と直交する他の軸方向における第２の揺動距離よりも長い。
【０００９】
また、好ましくは、本発明のスピーカースタンドは、載置部に所定範囲内の重量を備えるスピーカーを載せたときに、載置部が揺動する一の軸方向における第１の揺動共振周波数が、１．０Ｈｚ以上１０．０Ｈｚ以下であり、かつ、一の軸方向と直交する他の軸方向における第２の揺動共振周波数が、第１の揺動共振周波数よりも高い周波数である。
【００１０】
さらに好ましくは、本発明のスピーカースタンドは、脚部の弾性支持脚と、載置部と、台座部とが、弾性を有する板状部材を厚み方向に屈曲して一体に構成されている。
【００１１】
さらに好ましくは、上記の本発明のスピーカースタンドは、脚部が、柱状部材から構成される支柱脚をさらに備え、支柱脚の一方端が弾性支持脚の載置部に固着され、支柱脚の他方端が弾性支持脚の台座部に固着される。
【００１２】
さらに好ましくは、脚部の弾性支持脚が、板状部材の厚み方向に貫通孔を備え、貫通孔を支柱脚が貫通する。
【００１３】
さらに好ましくは、脚部の弾性支持脚の貫通孔において、弾性支持脚と、支柱脚とが、緩衝部材を狭着する。
【００１４】
さらに好ましくは、脚部が、支持脚を、載置部が揺動する一の軸方向における弾性が異なる他の支持脚に交換して、固着可能に構成されている、
【００１５】
また、さらに好ましくは、本発明のスピーカースタンドは、弾性支持脚の載置部と支持脚とを固着する第１固着部材と、弾性支持脚の台座部と支持脚とを固着する第２固着部材と、をさらに備え、第１固着部材および第２固着部材が、載置部が揺動する一の軸方向に規定される長孔を有し、他の第２支持脚を固着可能に構成されている。
【００１６】
さらに好ましくは、第１固着部材および第２固着部材と連結する第２支持脚を更に備え、第２支持脚が、長孔を介して第１固着部材および第２固着部材と連結する。
【００１７】
さらに好ましくは、第２支持脚が、第１固着部材および第２固着部材ならびに支持脚と固着する固定部材と、長孔を介して第１固着部材および第２固着部材と連結する可動部材と、を備え、可動部材が第１固着部材および第２固着部材の長孔と連結する位置により、第２支持脚の載置部が揺動する一の軸方向における弾性が変化する。
【００１８】
以下、本発明の作用について説明する。
【００１９】
本発明のスピーカースタンドは、スピーカーを載せる載置部と、設置する床面に対応する台座部と、載置部と台座部とを連結する脚部とを備え、脚部が、弾性を有する板状部材を厚み方向に屈曲した弾性支持脚により構成される。脚部を構成する弾性を有する板状部材とは、例えば、厚みが一様な冷間圧延鋼板の金属板である。板厚に対して幅広で長い板状部材を厚み方向に屈曲することにより、厚み方向により規定される一方向、つまり、板状部材を屈曲した方向に弾性を備える脚部が構成される。その結果、スピーカーを載せる載置部は、弾性支持脚の弾性変形に伴って一の軸方向に揺動可能となる。
【００２０】
すなわち、スピーカースタンドの弾性支持脚は、屈曲前の長い板状部材の厚み方向が３次元におけるＹ軸方向（板状部材の幅方向がＸ軸方向、長さ方向がＺ軸方向）である場合には、板状部材を屈曲した結果、屈曲した方向であるＹ軸方向には揺動しやすく、Ｙ軸方向と直交する他の軸方向（特にＸ軸方向）には揺動しにくい形状となる。具体的には、スピーカーを載せる載置部と台座部とが一体に構成されている弾性支持脚は、側面であるＸ軸方向から見た場合に、例えば「Ｚ」型の形状や、「匚」型の形状や、ギリシア語アルファベットの大文字「シグマ」型の形状が備わっていて、スピーカーを載せる載置部および設置されたスピーカーシステムは、板状部材の弾性によりＹ軸方向に揺動可能となる。台座部が床面に接するとスピーカーシステムとスピーカースタンドの重量によって静止摩擦力が働き、台座部はほぼ固定されて動かない状態となるからである。なお、ここでは、載置部が揺動する距離範囲は非常に短いので、弾性支持脚の動作が、載置部が台座部を支点として軸回転する動作に近い場合であっても、一の軸方向への揺動として近似される。
【００２１】
本発明のスピーカースタンドにおいて、スピーカーシステムに備わるスピーカーの振動板が振動する方向を上記のＹ軸方向になるようにスピーカーシステムを載置すると、スピーカーシステムでの反作用によって生じる振動により、載置部および載置されたスピーカーシステムは、最も効果的にＹ軸方向に揺動する。このとき、スピーカーシステムからの再生音声には、このＹ軸方向の揺動共振周波数に相当する周波数、すなわち、１．０Ｈｚ以上１０．０Ｈｚ以下の極めて低い揺動共振周波数の音波が励起されていることが確認されると伴に、好ましい揺れが重畳されることで聴感上のスピーカーシステムからの再生音が改善される。
【００２２】
その一方で、Ｙ軸方向と直交するＸ軸方向についての載置部の揺動は抑制される。スピーカースタンドの載置部のＹ軸方向の揺動距離（第１の揺動距離）は、Ｘ軸方向の揺動距離（第２の揺動距離）よりも長くなり、また、Ｘ軸方向における第２の揺動共振周波数は、Ｙ軸方向における第１の揺動共振周波数よりも高い周波数となる。弾性支持脚の屈曲の方法や、弾性支持脚の材料を選定することによって、載置部が揺動するそれぞれの軸方向における第１および第２の揺動共振周波数と、第１および第２の揺動距離とが、コントロールされる。載置部には、所定範囲内の重量を備えるスピーカーシステムが載置され、この重量の範囲で上記の揺動共振周波数の範囲を満足することが好ましい。
【００２３】
さらに、スピーカースタンドの脚部が、上記の弾性支持脚に加えて、柱状部材から構成される支柱脚をさらに備えていてもよい。支柱脚は、一方端が弾性支持脚の載置部に固着され、他方端が弾性支持脚の台座部に固着される。したがって、重量が重いスピーカーシステムが載置部に載置されても、弾性支持脚とともに支柱脚がスピーカーシステムによる荷重を支えることができる。このとき支柱脚は、一方端が弾性支持脚の載置部に固着され、他方端が弾性支持脚の台座部に固着されているので、弾性支持脚の載置部が揺動するのにしたがって揺動することができる。その結果、本発明のスピーカースタンドは、対応するスピーカーシステムの重量の適用範囲を広く設定できるとともに、スピーカーシステムで生じる反作用力を利用して、スピーカーシステムからの再生音を改善することができる。
【００２４】
支柱脚と弾性支持脚とは、支柱脚の一方端が弾性支持脚の載置部に固着され、支柱脚の他方端が弾性支持脚の台座部に固着されていればよい。脚部の弾性支持脚が、例えば上記の「Ｚ」型の形状である場合には、弾性支持脚の斜めとなる脚部の中間部に貫通孔を設けて支柱脚が貫通するようにしてもよい。好ましくは、弾性支持脚の貫通孔では、支柱脚が接触しないように離隔する、もしくは、緩衝部材を狭着することで、弾性支持脚の載置部の揺動を抑制することなく支柱脚を設けることができる。したがって、弾性支持脚の屈曲によるデザイン上の美観を重視して設計する場合であっても、本発明のスピーカースタンドは、スピーカーシステムで生じる反作用力を利用して、スピーカーシステムからの再生音を改善することができる。
【００２５】
また、スピーカースタンドの支持脚は、載置部が揺動する一の軸方向における弾性が異なる他の支持脚に交換して、固着可能に構成されていてもよい。支持脚を交換することにより、載置部に載置されるスピーカーシステムの重量に合わせて揺動共振周波数もしくは揺動距離を調整することができる。
【００２６】
さらに、スピーカースタンドは、弾性支持脚の載置部と支持脚とを固着する第１固着部材と、弾性支持脚の台座部と支持脚とを固着する第２固着部材と、を備え、第１固着部材および第２固着部材が、載置部が揺動する一の軸方向に規定される長孔を有し、他の第２支持脚を固着可能に構成されていてもよい。また、第２支持脚が、長孔を介して第１固着部材および第２固着部材と連結してもよい。他の第２支持脚を固着することで、載置部に載置されるスピーカーシステムに応じて、揺動共振周波数もしくは揺動距離を調整することができる。さらに第２支持脚が、第１固着部材および第２固着部材ならびに支持脚と固着する固定部材と、長孔を介して第１固着部材および第２固着部材と連結する可動部材と、を備えるようにしてもよい。第２支持脚可動部材が第１固着部材および第２固着部材の長孔と連結する位置により、第２支持脚の載置部が揺動する一の軸方向における弾性が変化するので、揺動共振周波数もしくは揺動距離を調整することができ、その結果、スピーカーシステムで生じる反作用力を利用して、スピーカーシステムからの再生音を改善することができる。
【発明の効果】
【００２７】
本発明のスピーカースタンドは、スピーカーシステムで生じる反作用力を利用して、スピーカーシステムからの再生音をさらに改善することができる。弾性支持脚の形状と材料を選定すること、さらに、支柱脚を設けることにより、広い範囲の重量のスピーカーシステムに適用可能でありながら、弾性支持脚の屈曲によるデザイン上の美観も満足するスピーカースタンドが提供される。
【発明を実施するための最良の形態】
【００２８】
本発明のスピーカースタンドは、設置されるスピーカーシステムからの再生音を改善するという目的を、スピーカーを載せる載置部と、設置する床面に対応する台座部と、載置部と台座部とを連結する脚部とを備え、脚部が、弾性を有する板状部材を厚み方向に屈曲した弾性支持脚により構成することにより、実現した。
【００２９】
以下、本発明の好ましい実施形態によるスピーカースタンドについて説明するが、本発明はこれらの実施形態には限定されない。
【実施例１】
【００３０】
図１は、本発明の好ましい実施形態によるスピーカースタンド１について説明する図であり、スピーカースタンド１は、床３に設置され、スピーカーシステム２を使用者（図示しない）が再生音を聴取するのに適する位置（高さ、向き）に設置することができる。このスピーカーシステム２は、略直方体形状のキャビネット２０の前面板２１に低音再生用スピーカー２３が取り付けられており、低音再生用スピーカー２３の振動板２４が前後に変位して振動することにより音声再生する。なお、以下の説明では、図１に示したとおり床面３に対して鉛直方法をＺ軸方向、スピーカーシステム２の振動板２４が振動する方向をＹ軸方向、Ｚ軸方向及びＹ軸方向に直角でスピーカースタンド１を側面視する方向をＸ軸方向とする。スピーカーシステム２は、スピーカースタンド１の載置部１１の上に載置されており、キャビネット２０の底板２２が載置部１１に接している。好ましくは、キャビネット２０の底板２２と載置部１１とをネジ等の締結部材により固着してもよい。
【００３１】
本実施例のスピーカースタンド１は、弾性支持脚１０と、固定台座板１４とから構成されている。弾性支持脚１０は、スピーカーを載せる載置部１１と、弾性脚部１２と、固定台座板１４に固定される台座部１３とが、冷間圧延鋼板を屈曲することにより一体に構成されている。ここで、屈曲とは、平面状の板部材を折り曲げた結果、弾性変形を超えて塑性変形することをいい、材料が金属板の場合だけでなく熱可塑性樹脂の場合には、金型で板状の部材があたかも折り曲げられたような形状を成型することを含む。弾性支持脚１０は、厚さｔ＝０．２ｍｍ〜５．０ｍｍ（好ましくは２．０ｍｍ〜４．０ｍｍ）の冷間圧延鋼板の金属板を板厚に対して幅広（好ましくは１０ｍｍ以上）で十分に長い（好ましくは１００ｍｍ以上）形状に切断加工した板状部材を、プレス加工、折り曲げ加工、等により屈曲して形成されているので、Ｚ軸方向に長さを備える弾性脚部１２は、屈曲した方向に弾性を備える。したがって、弾性支持脚１０は、板状部材の厚み方向により規定される一方向、つまり、ここではＹ軸方向に弾性を備えている。弾性支持脚１０は、その幅方向であるＸ軸方向には変形しにくい一方で、弾性変形に伴ってＹ軸方向には変形する。弾性支持脚１０の台座部１３は固定台座板１４に固定されているので、スピーカーを載せる載置部１１は、スピーカーシステム２とともにＹ軸方向に揺動する。
【００３２】
スピーカーシステム１の振動板２４が振動するＹ軸方向には、振動板２４を変位および振動させる駆動力に対する反作用によって、Ｘ軸方向及びＺ軸方向よりも強い振動が生じる。この振動がキャビネット２０の底板２２を介して弾性支持脚１０の載置部１１に伝わると、弾性支持脚１０の弾性脚部１２の弾性と、載置部１１および載置されたスピーカーシステム２の重量で定まる揺動共振周波数でＹ軸方向に揺動する。この揺動共振周波数は１．０Ｈｚ以上１０．０Ｈｚ以下の極めて低い周波数であり、また、Ｙ軸方向における揺動距離（揺動に伴い軸方向の一方に最も動く位置と、他方に最も動く位置との距離）は１０．０ｍｍ以下と短い距離である。一方で、弾性支持脚１０は、その幅方向であるＸ軸方向にも揺動するものの、Ｙ軸方向に比べて揺動しにくく、Ｘ軸方向の揺動距離はＹ軸方向に比べて短くなる。
【００３３】
図２は、本発明のスピーカースタンド１のＹ軸方向の揺動による効果について説明する図である。図２（ａ）のグラフは、本発明のスピーカースタンド１の載置部１１に載置されたスピーカーシステム２に２１．２Ｗの５０Ｈｚ以下の帯域ノイズ信号を印加したときの再生音圧周波数特性（１．０〜１０．０Ｈｚ）であり、図２（ｂ）のグラフは、比較例として、剛性を高めて強固にスピーカーシステム２を設置する、いわば、従来からの（Ｙ軸方向に揺動しない）スピーカースタンドでの再生音圧周波数特性である。図２（ａ）において、Ｙ軸方向の揺動共振周波数である約３．８Ｈｚに一致するピーク（グラフ中の矢印に示す）が見られる一方で、図２（ｂ）においては、強固にＹ軸方向に固定されているので、揺動共振に伴うピークは１．０〜１０．０Ｈｚの範囲には観察されない。このように、本発明のスピーカースタンド１は、低周波の揺動共振周波数にともなう好ましい揺れを再生音に重畳することができ、その結果、聴感上のスピーカーシステム２からの再生音を改善することができる。なお、スピーカースタンド１が載置可能なスピーカーシステム２の重量の範囲は、弾性支持脚の弾性により定まるＹ軸方向の揺動共振周波数が１．０Ｈｚ以上１０．０Ｈｚ以下となる範囲と合致するのが好ましい。なお、弾性支持脚の弾性により定まるＸ軸方向の揺動共振周波数は、Ｙ軸方向の揺動共振周波数よりも高い周波数の約７．０Ｈｚであり、図２（ａ）の再生音圧周波数特性のグラフ中には、Ｘ軸方向の揺動に伴うピークは観察されない。
【００３４】
図３は、スピーカースタンド１の弾性支持脚１０が採りうる他の実施例について模式的に説明する図であり、いずれについても弾性支持脚１０をＸ軸方向から側面視している。Ｘ軸方向から見た場合に、例えば「Ｚ」型の形状や、「匚」型の形状や、ギリシア語アルファベットの大文字「シグマ」型の形状や、「己」型もしくは「乙」型の形状が備わっていて、板厚等を考慮して屈曲の曲面のＲ寸法や材料の幅を設定する。屈曲の曲面は、Ｒ寸法が大きくて緩やかに変化するのが、揺動共振周波数の調整において、また、屈曲の加工において、加えて、デザイン上の美観において好ましい。弾性支持脚１０の屈曲によりデザイン上の美観が優れたスピーカースタンド１が提供される。また、載置部１１および台座部１３の長さも自由に設定できる。弾性支持脚１０は、載置部１１と弾性脚部１２と台座部１３とが一体に構成されているのが好ましいが、載置部１１を構成する載置板（図示しない）、もしくは、台座部１３を構成する台座板１４を備える場合には、必ずしも一体に構成しなくてもよい。
【００３５】
もちろん弾性支持脚１０の形状は、図１および図３の実施例に限定されない。弾性支持脚１０は、板状部材を板厚の方向に屈曲したものであればよく、結果として、載置部１１および設置されたスピーカーシステム２が板状部材の弾性により一軸方向、すなわち、スピーカーシステムの振動板が振動する方向に揺動可能となればよい。弾性支持脚１０の屈曲の方法や、弾性支持脚１０の材料、板厚、幅等を選定することによって、載置部１１が揺動するＹ軸方向における揺動共振周波数および揺動距離を適切な範囲に設定することができる。また、スピーカースタンド１は、本実施例のような１本の弾性支持脚１０を備える場合に限定されるものではない。複数の弾性支持脚１０を備える場合であっても、それぞれの揺動する方向が一致していればよい。
【実施例２】
【００３６】
図４、図５および図６は、本発明の他の好ましい実施形態によるスピーカースタンドについて説明する図である。いずれの実施例のスピーカースタンド１も、実施例１の場合と同様に、弾性支持脚１０と、固定台座板１４とから構成されており、弾性支持脚１０は、スピーカーシステムを載せる載置部１１と、弾性脚部１２と、固定台座板１４に固定される台座部１３とが、冷間圧延鋼板を屈曲することにより一体に構成されている。さらに、本実施例のスピーカースタンド１の脚部は、「乙型」の弾性支持脚１０に加えて、柱状部材から構成される支柱脚１５をさらに備えている。支柱脚１５は、弾性支持脚１０の載置部１１の直下鉛直方向（Ｚ軸方向）に、スピーカーシステムの荷重を支えるように設けられる。支柱脚１５は、一方端が弾性支持脚１０の載置部１１に固着され、他方端が弾性支持脚１０の台座部１３に固着されて、その中間部分が「乙型」の弾性支持脚１０の弾性脚部１２に設けられた貫通孔１６を通過している。なお、スピーカーシステムは図４、図５および図６では、図示しない。
【００３７】
ここで、支柱脚１５を構成する柱状部材とは、弾性支持脚１０を構成する板状部材よりも幅が狭い柱状の構造物であり、支柱脚１５の材料もしくは形状は特に限定されない。支柱脚１５は、一方端が弾性支持脚１０の載置部１１に固着され、他方端が弾性支持脚１０の台座部１３に固着されて、スピーカーシステムによる載置部１１への荷重を支える。具体的には、支柱脚１５は、長さ方向への伸びは極めて小さいが、長くなるにつれてたわむ程度の弾性を備える材料であることが好ましく、図４の場合には鉄もしくは鉄やアルミ等の金属の丸棒材、もしくはパイプ材であり、図５および図６の場合には弾性支持脚１０と同一の材料の冷間圧延鋼板の板材である。特に、図６の場合は冷間圧延鋼板の板材をＴ字型に組み合わせて、支柱脚１５を構成している。
【００３８】
本実施例のスピーカースタンド１は、支柱脚１５が弾性支持脚１０とともにスピーカーシステムによる荷重を支えるので、さらに重量が重いスピーカーシステムにも対応可能になり、載置可能なスピーカーシステムの重量の範囲を拡大することができる。このとき支柱脚１５は、一方端が弾性支持脚１０の載置部１１に固着され、他方端が弾性支持脚１０の台座部１３に固着されているので、弾性支持脚１０の載置部１１がＹ軸方向に揺動するのにしたがってＹ軸方向に揺動する。一方、Ｘ軸方向へ動きにくいのは実施例１の場合と変わりなく、さらに、支持脚１５がＺ軸方向の動きを拘束するので、その結果、載置部１１および載置されたスピーカーシステムは、Ｙ軸方向、つまり、振動板の振動する方向に最もよく揺動する。
【００３９】
例えば、図６の場合において、弾性支持脚１０は、厚さｔ＝３．０ｍｍの冷間圧延鋼板を幅１２６ｍｍ、長さ１２５０ｍｍに切断した板状部材を、Ｙ軸方向に略「乙」形状に屈曲して形成したものであり、さらに、支持脚１５は、厚さｔ＝３．０ｍｍの冷間圧延鋼板を幅６４ｍｍで長さ５５８ｍｍに、もしくは、幅４８ｍｍで長さ５００ｍｍに切断した２枚の板状部材をＴ字型に組み合わせて溶接したものである。支持脚１５は、弾性支持脚１０の載置部１１と、台座部１３とに溶接により固定されていて、Ｔ字型の貫通孔１６では後述するように弾性支持脚１０とは離隔している。本実施例のスピーカースタンド１では、Ｙ軸方向に１ｋｇ重の力を加えた時のＹ軸方向における揺動距離が約２．７０ｍｍであるのに対して、同じ力でのＸ軸方向における揺動距離は、約１．５４ｍｍ以下である。つまり、載置部１１およびスピーカーシステム２は、Ｘ軸方向に比べてＹ軸方向に揺動しやすく、Ｘ軸方向の揺動距離に比べて、Ｙ軸方向の揺動距離が長くなる。また、スピーカーシステム２の重量が１０．８ｋｇの場合には、本実施例のスピーカースタンド１のＹ軸方向の第１の揺動共振周波数は約６．７Ｈｚであり、一方で、Ｘ軸方向における第２の揺動共振周波数はその約１．４倍以上に高くなる。
【００４０】
支柱脚１５は、弾性支持脚１０の貫通孔１６を通過しており、貫通孔１６では接触せずに離隔している。載置部１１がＹ軸方向に揺動しやすくするために、支柱脚１５の一方端が弾性支持脚１０の載置部１１に固着され、支柱脚１５の他方端が弾性支持脚１０の台座部１３に固定されていればよく、弾性脚部１２の貫通孔１６においては弾性支持脚１０と支柱脚１５とが接触しない方が好ましいからである。したがって、弾性支持脚１０の屈曲によるデザイン上の美観を重視して弾性支持脚１０と支柱脚１５を組み合わせる設計をする場合であっても、本発明のスピーカースタンド１は、スピーカーシステムで生じる反作用力を利用して、スピーカーシステムからの再生音を改善することができる。貫通孔１６において、弾性支持脚１０と支柱脚１５との離隔距離が十分にとれずに、載置部１１の揺動により接触する可能性がある場合には、接触による拘束を緩和させ、また、接触による異音の発生を防ぐために、緩衝部材（図示しない）を狭着してもよい。具体的には、緩衝部材は、多孔質のウレタンフォームや、エラストマー等のゴムでもよく、フェルト等の繊維材料であってもよい。
【００４１】
したがって、弾性支持脚１０が、例えば上記の「乙」型の形状である場合であっても、弾性支持脚１０に設ける貫通孔１６は一つでなくて複数であってもよく、また、必ずしも弾性支持脚１０に貫通孔１６を設けて、支柱脚１５を通過させなくてもよい。弾性支持脚１０は、図３に模式的に示した弾性支持脚１０が採りうる他の実施例の形状であってもよく、弾性支持脚１０の載置部１１の直下鉛直方向に、スピーカーシステムの荷重を支える支柱脚１５を設けて、これに接触しない位置関係で、揺動の軸方向が一致する複数の弾性支持脚を設けてもよい。屈曲した弾性支持脚により、美観に優れ、かつ、載置するスピーカーシステムからの再生音を改善することができるスピーカースタンドが提供される。
【００４２】
また、スピーカースタンド１の支持脚１５は、載置部１１が揺動するY軸方向における弾性が異なる他の支持脚（図示しない）に交換して、固着可能に構成されていてもよい。例えば、図４の場合において、支持脚１５を構成する丸棒材を、より太い径の丸棒材に交換することにより、載置部に載置されるスピーカーシステムの重量が重くなって揺動共振周波数が低くなっても、揺動共振周波数を高くするように調整することができる。
【実施例３】
【００４３】
図７および図８は、本発明の他の好ましい実施形態によるスピーカースタンドについて説明する図である。いずれの実施例のスピーカースタンド１も、実施例２の場合と同様に、弾性支持脚１０と、固定台座板１４と、支持脚１５とを備えている。スピーカーシステムを載せる載置部１１と、弾性脚部１２と、固定台座板１４に固定される台座部１３とが、冷間圧延鋼板を屈曲することにより一体に「乙型」に構成される弾性支持脚１０に加えて、柱状部材から構成される支柱脚１５は、弾性支持脚１０の載置部１１の直下鉛直方向（Ｚ軸方向）に、スピーカーシステムの荷重を支えるように設けられ、一方端が弾性支持脚１０の載置部１１に固着され、他方端が弾性支持脚１０の台座部１３に固着されて、その中間部分が「乙型」の弾性支持脚１０の弾性脚部１２に設けられた貫通孔１６を通過している。
【００４４】
例えば、図７（ａ）は、スピーカースタンド１の斜視図、図７（ｂ）は、図７（ａ）の場合のスピーカースタンド１の側面図である。このスピーカースタンド１は、実施例１の図５のスピーカースタンドに、さらに他の第２支持脚３０が備わり、支持脚１５および他の第２支持脚３０が、Ｔ字型とされた弾性脚部１２の貫通孔１６を貫通している。ここで、第２支持脚３０は、支持脚１５を構成する板状部材と同一厚みの板状部材であり、弾性支持脚１０の載置部１１と支持脚１５とを固着する第１固着部材３１と、弾性支持脚１０の台座部１３と支持脚１５とを固着する第２固着部材３２と、により取り付けられている。第１固着部材３１および第２固着部材３２は、略Ｌ字型の部材で、載置部１１が揺動するＹ軸方向に規定される長孔３３および３４をそれぞれ有している。弾性支持脚１０と、第１固着部材３１および第２固着部材３２は、それぞれ溶接されている。また、第２支持脚３０と、第１固着部材３１および第２固着部材３２とは、長孔３３および３４を貫通するネジにより固定されている。
【００４５】
第２支持脚３０は、ネジにより第１固着部材３１および第２固着部材３２に固定されているので、揺動共振周波数を調整するために、寸法や材料の異なる他の第２支持脚に交換が可能である。例えば、図７（ｃ）は、このスピーカースタンド１の第２支持脚３０を、別のＹ軸方向に幅が広い板状部材から構成される他の第２支持脚４０に変更した場合の斜視図、図７（ｄ）は、図７（ｃ）の場合のスピーカースタンド１の側面図である。弾性支持脚１０の載置部１１が揺動する方向であるＹ軸方向にたわみにくい他の第２支持脚４０に変更することにより、揺動共振周波数を高くするように調整することができる。このように支持脚１５に加えて、第２支持脚３０もしくは他の第２支持脚４０を固着することで、載置部１１に載置されるスピーカーシステム（図示しない）に応じて、揺動共振周波数もしくは揺動距離を調整することができる。
【００４６】
また、第２支持脚３０を構成する板状部材の材質、厚みを選択することにより、揺動共振周波数もしくは揺動距離の調整が可能になり、スピーカーシステムからの再生音を改善することができるスピーカースタンド１が提供される。また、長孔３３および３４が規定されている範囲において、第２支持脚３０を第１固着部材３１および第２固着部材３２に取り付ける位置を変更することによっても、揺動共振周波数もしくは揺動距離を調整できる。
【００４７】
さらに、図８（ａ）および（ｂ）は、揺動共振周波数もしくは揺動距離の調整が可能な他のスピーカースタンド１の側面図であり、揺動共振周波数が異なる２通りの場合を表している。このスピーカースタンド１は、実施例１の図５のスピーカースタンド１にさらに第２支持脚５０が備わり、さらに第２支持脚５０が、第１固着部材３１および第２固着部材３２ならびに支持脚と固着する固定部材５０ａと、長孔３３もしくは３４を介して第１固着部材３１および第２固着部材３２と連結する可動部材５０ｂと、を備える。
【００４８】
つまり、固定部材５０ａと可動部材５０ｂとは、それぞれ板状部材が重ね合わせて長孔３３もしくは３４を貫通するネジを介してスライドする関係となっている。したがって、固定部材５０ａおよび可動部材５０ｂを重ね合わせる幅を変更することにより、Ｙ軸方向における実質的な第２支持脚５０の弾性（たわみ強度）が変わるので、スピーカースタンド１の揺動共振周波数ならびに揺動距離が変更される。したがって、第２支持脚５０を交換しなくても、揺動共振周波数ならびに揺動距離の調整が可能になり、スピーカーシステムからの再生音の改善が容易になる。また、重量の異なるスピーカーシステムに対しても、対応できる範囲を広くすることができる。
【産業上の利用可能性】
【００４９】
本発明のスピーカースタンドは、上記実施例に限られず、キャビネット底板部にスピーカースタンドが一体に固定されたスピーカーシステムにも適用が可能である。また、本発明のスピーカースタンドが設置されるのは床面に限られず、天井面もしくは壁面に取り付けてもよく、天井面もしくは壁面へのスピーカー取付具にも適する。
【図面の簡単な説明】
【００５０】
【図１】本発明の好ましい実施形態によるスピーカースタンドについて説明する図である。（実施例１）
【図２】本発明のスピーカースタンドの揺動の効果について説明する図である。（実施例１）
【図３】本発明のスピーカースタンドの弾性支持脚が採りうる他の実施例について説明する図である。
【図４】本発明の他の好ましい実施形態によるスピーカースタンドについて説明する図である。（実施例２）
【図５】本発明の他の好ましい実施形態によるスピーカースタンドについて説明する図である。（実施例２）
【図６】本発明の他の好ましい実施形態によるスピーカースタンドについて説明する図である。（実施例２）
【図７】本発明の他の好ましい実施形態によるスピーカースタンドについて説明する図である。（実施例３）
【図８】本発明の他の好ましい実施形態によるスピーカースタンドについて説明する図である。（実施例３）
【符号の説明】
【００５１】
１            スピーカースタンド
２            スピーカーシステム
３            床
１０          弾性支持脚
１１          載置部
１２          弾性脚部
１３          台座部
１４          固定台座板
１５          支柱脚
１６          貫通孔
２０          キャビネット
２１          前面板
２２          底板
２３          低音再生用スピーカー
２４          振動板
３０、４０    第２支持脚
３１          第１固着部材
３２          第２固着部材
３３、３４    長孔
５０          第２支持脚
５０ａ        固定部材
５０ｂ        可動部材
【図１】
2006287894.tif 000003
【図２】
2006287894.tif 000004
【図３】
2006287894.tif 000005
【図４】
2006287894.tif 000006
【図５】
2006287894.tif 000007
【図６】
2006287894.tif 000008
【図７】
2006287894.tif 000009
【図８】
2006287894.tif 000010